(57)【要約】【課題】中継装置を設置すべき管理者の処理を軽減したい。【解決手段】可変ＡＴＴ部２０は、放送信号に含まれた希望波成分の大きさが所定の値に近づくような調節値によって、放送信号の大きさを調節する。除去部２２は、調節した放送信号からレプリカ信号を除去する。送信増幅部３６は、レプリカ信号を除去した放送信号を送信する。生成部２６は、レプリカ信号を除去した放送信号をもとにレプリカ信号を生成し、生成したレプリカ信号を除去部２２へ帰還させる。設定部３０は、レプリカ信号を除去した放送信号をもとに調節値を生成し、生成した調節値を可変ＡＴＴ部２０へ帰還させる。推定部４２は、生成した調節値をもとに、放送信号に含まれた遅延波成分の大きさを推定する。【選択図】図２
2010098408.tif 000002
【特許請求の範囲】
【請求項１】
希望波成分と遅延波成分とが含まれた放送信号を受信する受信部と、
前記受信部において受信した放送信号から、前記受信部において受信した放送信号に含まれる遅延波成分が模擬されたレプリカ信号を除去する除去部と、
前記除去部においてレプリカ信号を除去した放送信号を送信する送信部と、
前記除去部においてレプリカ信号を除去した放送信号をもとにレプリカ信号を生成し、生成したレプリカ信号を前記除去部へ帰還させる模擬部と、
前記模擬部において生成したレプリカ信号をもとに、前記受信部において受信した放送信号に含まれた遅延波成分の大きさを推定する推定部と、
を備えることを特徴とする中継装置。
【請求項２】
希望波成分と遅延波成分とが含まれた放送信号を受信する受信部と、
前記受信部において受信した放送信号に含まれた希望波成分の大きさが所定の値に近づくような調節値によって、前記受信部において受信した放送信号の大きさを調節する調節部と、
前記調節部において調節した放送信号から、前記調節部において調節した放送信号に含まれる遅延波成分が模擬されたレプリカ信号を除去する除去部と、
前記除去部においてレプリカ信号を除去した放送信号を送信する送信部と、
前記除去部においてレプリカ信号を除去した放送信号をもとにレプリカ信号を生成し、生成したレプリカ信号を前記除去部へ帰還させる模擬部と、
前記除去部においてレプリカ信号を除去した放送信号をもとに調節値を生成し、生成した調節値を前記調節部へ帰還させる制御部と、
前記制御部において生成した調節値をもとに、前記受信部において受信した放送信号に含まれた遅延波成分の大きさを推定する推定部と、
を備えることを特徴とする中継装置。
【請求項３】
前記推定部において推定した遅延波成分の大きさを表示する表示部をさらに備えることを特徴とする請求項１または２に記載の中継装置。
【発明の詳細な説明】
【技術分野】
【０００１】
本発明は、中継装置に関し、特に受信した信号に対して所定の処理を施した後に送信を実行する中継装置に関する。
【背景技術】
【０００２】
テレビジョン放送で、放送波を送信する親局放送機の他に、放送エリアの拡大を目的として、放送波を無線受信しこれを増幅して無線送信する中継放送機が使用される。このような中継放送機では、視聴者装置におけるゴーストの発生等の信号干渉の問題を避けるため、受信する際の周波数と送信する際の周波数とに対して、異なる無線周波数の使用が好ましい。しかしながら、ディジタル地上波テレビジョン放送では、いわゆる単一周波数ネットワーク（ＳＦＮ：Ｓｉｎｇｌｅ  Ｆｒｅｑｕｅｎｃｙ  Ｎｅｔｗｏｒｋ）を実現すべく、受信する際の周波数と送信する際の周波数とに対して、同一の無線周波数の使用が望まれている（例えば、特許文献１参照）。
【特許文献１】特開２００１−６０９２４号公報
【発明の開示】
【発明が解決しようとする課題】
【０００３】
受信と送信に対して同一の無線周波数を使用する中継放送機では、回り込み波の影響によって特性が悪化してしまう。回り込み波は、送信された信号が再び受信されることによって生じる。回り込み波の影響を低減するためには、回り込みキャンセラの使用が有効である。回り込みキャンセラは、送信すべき信号から回り込み波のレプリカ信号を生成し、受信した信号とレプリカ信号とを合成することによって、受信した信号から回り込み波の成分を減じる。しかしながら、中継装置に回り込みキャンセラを備えた場合であっても、中継装置を設置する環境によっては、回り込み波の影響によって、通信品質が悪化してしまうこともある。これに対応するために管理者には、回り込み波の影響が少ない場所を選んで、中継装置を設置することが要求される。そのため、管理者は、中継装置を仮設置し、測定器によって伝搬環境を測定し、仮設置した場所が中継装置の設置に適していれば、中継装置を設置する。このような処理において、中継装置を設置すべき管理者の処理の軽減が望まれていた。
【０００４】
本発明はこうした状況に鑑みてなされたものであり、その目的は、中継装置を設置すべき管理者の処理を軽減する中継装置を提供することにある。
【課題を解決するための手段】
【０００５】
上記課題を解決するために、本発明のある態様の中継装置は、希望波成分と遅延波成分とが含まれた放送信号を受信する受信部と、受信部において受信した放送信号から、受信部において受信した放送信号に含まれる遅延波成分が模擬されたレプリカ信号を除去する除去部と、除去部においてレプリカ信号を除去した放送信号を送信する送信部と、除去部においてレプリカ信号を除去した放送信号をもとにレプリカ信号を生成し、生成したレプリカ信号を除去部へ帰還させる模擬部と、模擬部において生成したレプリカ信号をもとに、受信部において受信した放送信号に含まれた遅延波成分の大きさを推定する推定部と、を備える。
【０００６】
この態様によると、レプリカ信号の大きさをもとに、放送信号に含まれた遅延波成分の大きさを推定するので、中継装置を設置すべき位置の把握が容易になり、管理者の処理を低減できる。
【０００７】
本発明の別の態様もまた、中継装置である。この装置は、希望波成分と遅延波成分とが含まれた放送信号を受信する受信部と、受信部において受信した放送信号に含まれた希望波成分の大きさが所定の値に近づくような調節値によって、受信部において受信した放送信号の大きさを調節する調節部と、調節部において調節した放送信号から、調節部において調節した放送信号に含まれる遅延波成分が模擬されたレプリカ信号を除去する除去部と、除去部においてレプリカ信号を除去した放送信号を送信する送信部と、除去部においてレプリカ信号を除去した放送信号をもとにレプリカ信号を生成し、生成したレプリカ信号を除去部へ帰還させる模擬部と、除去部においてレプリカ信号を除去した放送信号をもとに調節値を生成し、生成した調節値を調節部へ帰還させる制御部と、制御部において生成した調節値をもとに、受信部において受信した放送信号に含まれた遅延波成分の大きさを推定する推定部と、を備える。
【０００８】
この態様によると、調節値の大きさをもとに、放送信号に含まれた遅延波成分の大きさを推定するので、中継装置を設置すべき位置の把握が容易になり、管理者の処理を低減できる。
【０００９】
推定部において推定した遅延波成分の大きさを表示する表示部をさらに備えてもよい。この場合、遅延波成分の大きさを表示するので、遅延波成分の大きさを管理者に通知できる。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、中継装置を設置すべき管理者の処理を軽減できる。
【発明を実施するための最良の形態】
【００１２】
本発明を具体的に説明する前に、概要を述べる。本発明の実施例は、ＳＦＮ（Ｓｉｎｇｌｅ  Ｆｒｅｑｕｅｎｃｙ  Ｎｅｔｗｏｒｋ）に対応したディジタル地上波テレビジョン放送において、受信した放送信号を増幅した後に送信する中継装置に関する。中継装置は、受信用を介して放送信号を受信し、放送信号のうち、所望の帯域の成分を増幅した後に、増幅した放送信号（以下、これも「放送信号」という）を送信用アンテナから送信する。ここで、受信用アンテナと送信用アンテナの周囲の環境によっては、送信用アンテナから送信された放送信号が受信用アンテナに再び受信される現象が顕著になる。このような現象が、前述の回り込みに相当し、受信用アンテナに再び受信される放送信号が、回り込み波に相当する。
【００１３】
回り込み波は、放送信号にとって干渉となるので、回り込み波の影響によって通信品質が悪化しうる。なお、回り込みによる影響を低減するために、中継装置には、回り込みキャンセラが備えられているが、回り込みキャンセラの能力を超えるような回り込み波が存在する場合に、通信品質が悪化する。このような回り込み波による通信品質の悪化を抑制するためのひとつの対策は、回り込み波の影響が小さくなるような環境に中継装置を設置することである。その際、管理者には、測定器を操作しながら、回り込み波の影響が小さくなるような設置を探すことが要求され、設置のための処理負担が大きくなる。これに対して、本実施例に係る中継装置は、次の処理を実行する。
【００１４】
なお、以下では、反射波や回り込み波等の干渉成分となりうる信号成分を「遅延波成分」と総称し、中継すべき信号成分を「希望波成分」という。そのため、中継装置において受信した放送信号には、希望波成分と遅延波成分とが含まれている。中継装置は、放送信号を中間周波数帯へ周波数変換した後、中間周波数の信号（以下、「中間信号」という）のうち、希望波成分の大きさが一定になるような増幅率または減衰率（以下、「調節値」と総称する）によって、中間信号の大きさを調節する。また、中継装置は、調節した中間信号に対して回り込みキャンセラを作用させて、中間信号における遅延波成分を低減する。さらに、中継装置は、回り込みキャンセラからの中間信号を放送周波数帯へ周波数変換し、放送周波数帯の信号（以下、これも「放送信号」という）を送信する。
【００１５】
一方、中継装置は、回り込みキャンセラからの中間信号の大きさが一定値に近づくように調整値を決定し、中間信号の大きさを調節するために、決定した調整値を帰還させる。ここで、回り込みキャンセラからの中間信号に含まれた遅延波成分の大きさが大きくなると、調節値は、減衰が小さくなるように決定される。一方、回り込みキャンセラからの中間信号に含まれた遅延波成分の大きさが小さくなると、調節値は、減衰が大きくなるように決定される。つまり、調節値では、遅延波成分の大きさが反映されている。中継装置は、調節値に応じた値を表示する。つまり、調節値を利用することによって、付加的な処理の増加を抑制しながら、遅延波成分の大きさが管理者に通知される。
【００１６】
図１は、本発明の実施例に係る放送システム３００の構成を示す。放送システム３００は、放送局２００、中継装置１００、受像装置２１０を含む。また、放送局２００は、放送局用アンテナ２２０を含み、中継装置１００は、受信用アンテナ１０、送信用アンテナ４０を含み、受像装置２１０は、受像装置用アンテナ２２２を含む。
【００１７】
放送局２００は、放送局用アンテナ２２０から放送信号を送信する。ここで、放送信号とは、前述のごとく、ディジタルテレビジョン放送に対応した信号である。また、ディジタルテレビジョン放送とは、例えば、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＶＢ（Ｄｉｇｉｔａｌ  Ｖｉｄｅｏ  Ｂｒｏａｄｃａｓｔｉｎｇ）にて規定されたシステムである。ＩＳＤＢ−Ｔでは、複数のチャンネルに対して周波数分割多重がなされている。
【００１８】
また、各チャンネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号によって形成されており、かつ複数のセグメントによって形成されている。具体的には、４２９ＫＨｚ幅のセグメントが１３個含まれている。１３個のセグメントのうち、ひとつはワンセグメント放送用に予約されている。ワンセグメント放送用に予約されたセグメントは、中央のセグメントであり、セグメント番号「０」であるとする。また、放送信号の変調多値数は、可変に規定されている。例えば、１３個のセグメントを使用する場合に、変調方式として６４ＱＡＭが使用され、ワンセグメント放送を使用する場合に、変調方式としてＱＰＳＫが使用されている。
【００１９】
中継装置１００は、放送局２００と受像装置２１０との間の位置であり、かつ放送局２００からの放送信号を受信できるような位置に設置されている。中継装置１００は、受信用アンテナ１０を介して、放送局２００からの放送信号を受信する。中継装置１００は、放送信号を中間信号へ周波数変換し、中間信号のうちの所望の成分を抽出する。また、中継装置１００は、抽出した中間信号を放送信号へ周波数変換し、放送信号を送信用アンテナ４０から送信する。ここで、前述のごとく、放送システム３００は、ＳＦＮに対応しているので、受信用アンテナ１０において受信した放送信号と、送信用アンテナ４０から送信する放送信号とは、同一の周波数帯を使用する。そのため、中継装置１００は、図示しない回り込みキャンセラを備え、回り込みキャンセラは、中間信号に含まれた遅延波成分を低減する。また、中継装置１００は、遅延波成分の大きさに応じた値、例えば、Ｄ／Ｕ比を表示する。このような遅延波成分の大きさに応じた値を推定する処理については、後述する。管理者は、表示されたＤ／Ｕ比を確認しながら、Ｄ／Ｕ比がある程度大きくなるような位置に中継装置１００を設置する。
【００２０】
受像装置２１０は、放送局２００からの放送信号を受信できないような位置であり、かつ中継装置１００からの放送信号を受信できる位置に配置されている。例えば、受像装置２１０は、テレビジョン受像装置である。受像装置２１０は、受像装置用アンテナ２２２を介して、中継装置１００からの放送信号を受信する。受像装置２１０は、放送信号のうち、少なくともひとつのチャンネル成分あるいは少なくともひとつのセグメント成分を復調することによって、少なくともひとつのチャンネル成分あるいは少なくともひとつのセグメント成分に含まれた番組を再生する。また、受像装置２１０は、図示しないモニタに番組を表示する。仮に、受像装置２１０が放送局２００からの放送信号を直接受信できる位置に配置されていれば、受像装置２１０は、放送局２００からの放送信号を受信し、放送信号に含まれた番組を再生できる。
【００２１】
図２は、中継装置１００の構成を示す。中継装置１００は、受信用アンテナ１０、受信用ＢＰＦ１２、受信増幅部１４、第１周波数変換部１６、局部発振部１８、可変ＡＴＴ部２０、回り込みキャンセラ部３４、検波部２８、設定部３０、第２周波数変換部３２、送信増幅部３６、送信用ＢＰＦ３８、送信用アンテナ４０、推定部４２、表示部４４、制御部４６を含む。また、回り込みキャンセラ部３４は、除去部２２、フィルタ部２４、生成部２６を含む。
【００２２】
受信用アンテナ１０は、図示しない放送局２００からの放送信号を受信する。ここで、放送信号には、前述のごとく、希望波成分と遅延波成分とが含まれている。受信用アンテナ１０は、受信した放送信号を受信用ＢＰＦ１２へ出力する。受信用ＢＰＦ１２は、受信用アンテナ１０からの放送信号から通過帯域の部分を抽出する。受信用ＢＰＦ１２は、放送信号の通過帯域外雑音を減衰させるために、放送信号を濾波する。ここで、通過帯域として、複数のチャンネル成分やひとつのチャンネル成分（以下、これらを「チャンネル成分」と総称する）を抽出できるような値が予め設定されている。受信用ＢＰＦ１２には、公知の技術が使用されればよいので、ここでは説明を省略する。なお、ひとつのチャンネル成分には、複数のセグメント成分が含まれており、受信用ＢＰＦ１２は、少なくともひとつのセグメント成分を抽出してもよい。ここでは、説明を明瞭にするために、抽出したセグメント成分も「チャンネル成分」ということがある。受信用ＢＰＦ１２は、チャンネル成分を受信増幅部１４へ出力する。
【００２３】
受信増幅部１４は、受信用ＢＰＦ１２からのチャンネル成分を増幅する。ここで、チャンネル成分は、放送周波数帯域の信号である。また、受信増幅部１４は、増幅したチャンネル成分を第１周波数変換部１６へ出力する。第１周波数変換部１６は、受信増幅部１４からチャンネル成分を受けつけるとともに、局部発振部１８から局部発振信号を受けつける。
【００２４】
局部発振部１８は、予め周波数を設定した局部発振信号を発振する。ここでは、受信用ＢＰＦ１２において設定される通過帯域の周波数に合わせて、局部発振信号の周波数が設定されている。なお、周波数の設定を切りかえる場合、局部発振部１８は、所定のインターフェイスを介して切替の指示を受けつければよい。第１周波数変換部１６は、局部発振部１８からの局部発振信号によって、受信増幅部１４からの放送周波数帯域のチャンネル成分を中間周波数帯のチャンネル成分へ周波数変換する。ここで、中間周波数帯のチャンネル成分が、前述の中間信号に相当する。第１周波数変換部１６は、中間信号を可変ＡＴＴ部２０へ出力する。
【００２５】
可変ＡＴＴ部２０は、第１周波数変換部１６から中間信号を入力するとともに、設定部３０から調節値を入力する。調節値は、受信した放送信号に含まれた希望波成分の大きさが所定の値に近づくように制御するための値である。可変ＡＴＴ部２０は、調節値に応じて、中間信号の大きさを調節する。具体的に説明すると、可変ＡＴＴ部２０は、中間信号の大きさを減衰させるので、調節値は、減衰率、つまり減衰の程度に相当する。可変ＡＴＴ部２０は、調節値に応じて中間信号の大きさを減衰させる。なお、調節値が増幅率であり、可変ＡＴＴ部２０の代わりに増幅部が設けられてもよい。可変ＡＴＴ部２０は、減衰させた中間信号（以下、これも「中間信号」という）を除去部２２へ出力する。
【００２６】
除去部２２は、可変ＡＴＴ部２０から中間信号を入力するとともに、生成部２６からレプリカ信号を入力し、中間信号とレプリカ信号とを合成する。ここで、レプリカ信号とは、可変ＡＴＴ部２０において減衰させた中間信号に含まれる遅延波成分が模擬された信号であるが、ここでは、遅延波成分の逆特性に相当する。つまり、仮に、レプリカ信号が、中間信号に含まれた遅延波成分を完全に模擬できている場合、中間信号とレプリカ信号との合成によって、中間信号から遅延波成分が除去される。なお、中間信号とレプリカ信号との合成は、中間信号からレプリカ信号の成分を除去することに相当する。除去部２２は、合成した中間信号（以下、これも「中間信号」という）をフィルタ部２４へ出力する。
【００２７】
フィルタ部２４は、除去部２２から中間信号を入力する。フィルタ部２４は、例えば、表面弾性波（ＳＡＷ）フィルタによって構成されており、中間信号を帯域通過濾波する。フィルタ部２４は、濾波した中間信号（以下、これも「中間信号」という）を生成部２６、検波部２８、第２周波数変換部３２へ出力する。なお、フィルタ部２４の後段に増幅部が備えられており、増幅部は、フィルタ部２４からの中間信号を増幅した後に、増幅した中間信号を生成部２６、検波部２８、第２周波数変換部３２へ出力してもよいが、ここでは説明を省略する。
【００２８】
第２周波数変換部３２は、フィルタ部２４からの中間信号に対して、中間周波数帯域から放送周波数帯域へ周波数変換することによって放送信号を生成する。なお、受信用アンテナ１０において受信した信号も放送信号というが、第２周波数変換部３２において生成された放送信号は、受信した放送信号のうちの一部のチャンネル成分やセグメント成分に相当する。その結果、受信用アンテナ１０において受信した放送信号と、ここでの放送信号とは、それぞれ含んでいるチャンネル成分やセグメント成分が異なっている。しかしながら、説明を簡易にするために、ここでは、両者を区別せずに放送信号という。第２周波数変換部３２は、第１周波数変換部１６と同様に、局部発振部１８からの局部発振信号を入力し、これを周波数変換に使用する。そのため、受信用アンテナ１０において受信した放送信号と、ここでの放送信号とは、同一の周波数帯に属する。第２周波数変換部３２は、放送信号を送信増幅部３６へ出力する。
【００２９】
送信増幅部３６は、送信増幅部３６からの放送信号を増幅し、送信増幅部３６へ出力する。つまり、送信増幅部３６は、濾波された放送信号を電力増幅する。送信用ＢＰＦ３８は、雑音・歪等を除去すべく、受けつけた放送信号の放送周波数帯域外に含まれるイメージ信号等を減衰し、送信用アンテナ４０から放送信号を電磁波として送信する。つまり、送信用ＢＰＦ３８は、除去部２２においてレプリカ信号を除去した放送信号を送信する。
【００３０】
生成部２６は、除去部２２からの中間信号を入力する。また、生成部２６は、中間信号をもとに、レプリカ信号を生成する。レプリカ信号の生成については、後述する。生成部２６は、生成したレプリカ信号を除去部２２へ帰還させる。検波部２８は、除去部２２からの中間信号を入力する。検波部２８は、中間信号を検波することによって、中間信号をベースバンドの信号（以下、「ベースバンド信号」という）へ変換する。検波には、公知の技術が使用されればよいので、ここでは説明を省略する。また、ベースバンド信号は、一般的に同相成分と直交成分とを含んでいるので、ふたつの信号線によって示されるべきであるが、図面を明瞭にするために、ここでは、ベースバンド信号をひとつの信号線にて示す。検波部２８は、ベースバンド信号を設定部３０へ出力する。
【００３１】
設定部３０は、検波部２８からベースバンド信号を入力する。入力したベースバンド信号では、遅延波成分が減衰されている。つまり、理想的には、検波部２８には、希望波成分のみが含まれている。設定部３０は、ベースバンド信号の電力を計算するとともに、計算した電力の値（以下、「受信電力」という）としきい値とを比較する。ここで、しきい値とは、希望波成分の大きさが一定値に近くなるように定められた値である。設定部３０は、受信電力としきい値との差異を導出し、差異が小さくなるように調節値を決定する。例えば、受信電力がしきい値を大きく上回っていれば、設定部３０は、減衰量が大きくなるような調節値を決定し、受信電力がしきい値を小さく上回っていれば、設定部３０は、減衰量が小さくなるような調節値を決定する。つまり、設定部３０は、除去部２２においてレプリカ信号を除去した中間信号をもとに調節値を生成する。設定部３０は、生成した調節値を可変ＡＴＴ部２０へ帰還させる。
【００３２】
推定部４２は、設定部３０において生成した調節値を入力し、調節値もとに、可変ＡＴＴ部２０からの中間信号に含まれた遅延波成分の大きさを推定する。具体的に説明すると、前述のごとく、設定値は、中間信号に含まれた希望波成分が所定の値に近づくように生成されるので、設定値における減衰量が小さい場合、中間信号に含まれた遅延波成分が大きくなっているといえる。一方、設定値における減衰量が大きい場合、中間信号に含まれた遅延波成分が小さくなっているといえる。そのため、推定部４２は、調節値と遅延波成分の大きさとの関係をテーブルとして予め記憶しており、当該テーブルを参照しながら、入力した調節値から遅延波成分の大きさを導出する。なお、調節値によって制御される希望波の所定の値を「Ｄ」と固定して仮定し、遅延波成分の大きさを「Ｕ」とすれば、調節値とＤ／Ｕ比との関係がテーブルとして記憶されていてもよい。その際、推定部４２は、遅延波成分の大きさの代わりに、Ｄ／Ｕ比を導出する。さらに、推定部４２は、遅延波成分の大きさあるいはＤ／Ｕ比を表示部４４へ出力する。
【００３３】
表示部４４は、推定部４２から遅延波成分の大きさあるいはＤ／Ｕ比を入力する。また、表示部４４は、インジケータやディスプレイによって構成されており、インジケータやディスプレイに、遅延波成分の大きさあるいはＤ／Ｕ比を表示する。その結果、管理者は、表示部４４を視認することによって、遅延波成分の大きさあるいはＤ／Ｕ比を認識できる。制御部４６は、中継装置１００全体の動作を制御する。
【００３４】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３５】
図３は、生成部２６の構成を示す。生成部２６は、ＡＧＣ部６０、可変遅延部６２、可変移相部６４、可変減衰部６６、ＡＤ部６８、解析部７０、演算部７２を含む。ＡＧＣ部６０は、中間信号の大きさを所定の大きさになるよう自動制御する。ＡＧＣ部６０における利得制御状態は、その内部で発生させている制御電圧から知ることができる。ＡＧＣ部６０は、制御電圧をＡＧＣ部６０の利得を示す情報として、ＡＤ部６８にてデジタル信号に変換してから演算部７２へ出力する。
【００３６】
可変遅延部６２は、希望波に対するレプリカ信号の遅延時間を制御する。遅延時間は演算部７２によって設定される。可変遅延部６２は、例えば、メモリへの書込及び遅延読出により信号を遅延させために、デジタル信号で遅延時間τを設定・制御できる回路にて実現される。可変移相部６４は、希望波に対するレプリカ信号の位相差を制御する。位相差は演算部７２によって設定される。可変移相部６４は、例えば、入力信号を２個の双平衡ミキサ（ＤＢＭ）に直交分配しこれらＤＢＭにてＩ、Ｑ制御信号と混合された信号同士を同相合成する回路、即ち直交変調により入力信号を移相させる直交変調器にて実現される。可変減衰部６６は、希望波に対するレプリカ信号の振幅比を制御する。振幅比は演算部７２によって設定される。
【００３７】
解析部７０は、ディジタル信号処理回路（ＤＳＰ）、スペクトルアナライザ等によって、構成されており、回り込みやマルチパスさらにはレプリカ信号それ自体によって生じるリプル波形を抽出し、演算部７２へ出力する。演算部７２は、既知あるいは検出可能な情報をもとに、可変遅延部６２、可変移相部６４、可変減衰部６６における遅延時間τ、位相差θ、減衰率Ａを制御することによって、希望波に対するキャンセル信号の遅延時間、位相差、振幅比を制御する。演算部７２は、ＣＰＵやこれに付随する各種のプロセッサ、メモリ等により実現される部材であり、ＡＧＣ部６０や解析部７０からの信号をもとに、遅延時間τ、位相差θ、減衰率Ａを生成し、それらの値を可変遅延部６２、可変移相部６４、可変減衰部６６へ出力する。
【００３８】
演算部７２における遅延時間τ、位相差θ、減衰率Ａの生成には、公知の技術、例えば、特許第３８５１４９０号公報に開示された技術を使用すればよいので、ここでは、詳細を省略するが、動作の概略は次の通りである。中継装置１００の伝達関数ＨＬ０（ω）は、次のように示される。
ＨＬ０（ω）＝Ｈ0（ω）／（１−Ｈ0（ω）ＨL（ω））＝α・ｅｘｐ（−ｊ（ωτα＋θα））／｛１−α・β・ｅｘｐ（−ｊ（ω（τα＋τβ）＋（θα＋θβ）））｝
ここで、Ｈ0（ω）は、遅延波成分が発生しておらず、回り込みキャンセラ部３４も動作していないときの中継装置１００の伝達関数であり、ＨL（ω）は、回り込みを表す帰還ループの伝達関数である。αは、中継装置１００全体での利得であり、ταは、中継装置１００で生じる遅延時間［ｓｅｃ］であり、θαは、中継装置１００で生じる移相量［ｒａｄ］であり、ωは、角周波数［ｒａｄ／ｓｅｃ］である。また、τβは、希望波成分に対する遅延波成分の遅延時間［ｓｅｃ］であり、θβは、希望波成分に対する遅延波成分の位相差［ｒａｄ］である。
【００３９】
解析部７０は、中間信号に対してＦＦＴ（高速フーリエ変換）等の処理を実行することによって、中間信号を周波数軸上で解析して主波占有帯域内におけるリプル波形を検出する。また、演算部７２は、解析部７０において検出したリプル波形を時間波形と見なしてＦＦＴをさらに実行することによって、遅延時間τβ等に関する情報を抽出する。演算部７２は、抽出した情報をもとに、可変遅延部６２における遅延時間τ、可変移相部６４における移相量θ、可変減衰部６６における減衰率Ａを制御する。最終的に、可変遅延部６２、可変移相部６４、可変減衰部６６によって、キャンセルすべき回り込み成分と同遅延時間及び同振幅で当該回り込み波に対して逆位相のレプリカ信号が生成される。
【００４０】
以上の構成による中継装置１００の動作を説明する。中継装置１００は、中継装置１００からの放送信号を受信用アンテナ１０にて受信する。第１周波数変換部１６は、放送信号を中間信号へ周波数変換した後、可変ＡＴＴ部２０は、中間信号に含まれた希望波成分の大きさを所定の値に近づけるような調節値によって、中間信号を減衰させる。除去部２２は、中間信号とレプリカ信号を合成し、その結果を中間信号として出力する。生成部２６は、中間信号をもとにレプリカ信号を生成し、レプリカ信号を除去部２２へ出力する。第２周波数変換部３２は、中間信号を放送信号へ周波数変換した後、送信増幅部３６は、放送信号を増幅する。
【００４１】
送信用アンテナ４０は、放送信号を送信する。設定部３０は、中間信号としきい値とを比較することによって、中間信号に含まれた希望波成分の大きさを所定の値に近づけるような調節値を生成し、調節値を可変ＡＴＴ部２０へ帰還する。推定部４２は、調節値をもとに、放送信号のＤ／Ｕ比を推定し、表示部４４は、推定したＤ／Ｕ比を表示する。管理者は、表示部４４に表示されたＤ／Ｕ比を確認しながら、Ｄ／Ｕ比が所望の値よりも大きくなる場所を特定する。また、管理者は、特定した場所に中継装置１００を設置する。
【００４２】
以下、本発明の変形例を説明する。変形例に係る中継装置１００は、実施例に係る中継装置１００と同様に、放送局２００からの放送信号を受信し、受像装置２１０へ放送信号を送信する。また、変形例に中継装置１００は、実施例に係る中継装置１００と同様に、受信した放送信号に含まれた遅延波成分の大きさや放送信号のＤ／Ｕ比を推定し、遅延波成分の大きさやＤ／Ｕ比を表示する。しかしながら、変形例に係る中継装置１００は、実施例に係る中継装置１００と異なり、レプリカ信号をもとに遅延波成分の大きさやＤ／Ｕ比を推定する。変形例に係る放送システム３００は、図１と同様のタイプであるので、ここでは説明を省略する。
【００４３】
図４は、本発明の変形例に係る中継装置１００の構成を示す。中継装置１００は、図１の中継装置１００と同様に、受信用アンテナ１０、受信用ＢＰＦ１２、受信増幅部１４、第１周波数変換部１６、局部発振部１８、可変ＡＴＴ部２０、回り込みキャンセラ部３４、検波部２８、設定部３０、第２周波数変換部３２、送信増幅部３６、送信用ＢＰＦ３８、送信用アンテナ４０、推定部４２、表示部４４、制御部４６を含む。また、回り込みキャンセラ部３４は、除去部２２、フィルタ部２４、生成部２６を含む。
【００４４】
受信用アンテナ１０から送信用アンテナ４０は、図１と同様の処理を実行するので、ここでは説明を省略する。推定部４２は、生成部２６からレプリカ信号を入力する。推定部４２は、レプリカ信号をもとに、中間信号に含まれた遅延波成分の大きさを推定する。前述のごとく、レプリカ信号には、減衰率Ａが反映されているので、レプリカ信号の大きさは、遅延波成分の大きさに相当する。具体的に説明すると、推定部４２は、レプリカ信号の大きさを導出する。また、推定部４２は、レプリカ信号の大きさと遅延波成分の大きさとを対応づけたテーブルを予め記憶しており、テーブルを参照しながら、レプリカ信号の大きさから遅延波成分の大きさを導出する。ここで、テーブルは、レプリカ信号の大きさが大きくなれば、遅延波成分の大きさも大きくなるように規定される。また、実施例と同様に、テーブルは、レプリカ信号の大きさとＤ／Ｕ比とを対応づけていてもよい。
【００４５】
本発明の実施例によれば、調節値の大きさをもとに、中間信号に含まれた遅延波成分の大きさを推定するので、中継装置の周囲の伝搬環境を容易に把握できる。また、中継装置の周囲の伝搬環境が容易に把握されるので、中継装置を設置すべき位置を容易に把握できる。また、中継装置を設置すべき位置が容易に把握されるので、管理者の処理を低減できる。また、調節値は別の用途のために導出されるので、遅延波成分の大きさを推定するための付加的な処理量の増加を抑制できる。また、遅延波成分の大きさを表示するので、遅延波成分の大きさを管理者に通知できる。また、管理者は、表示内容を確認しながら、中継装置を設置すべき位置を特定するので、処理を低減できる。また、レプリカ信号の大きさをもとに、放送信号に含まれた遅延波成分の大きさを推定するので、中継装置の周囲の伝搬環境を容易に把握できる。また、レプリカ信号は別の用途のために導出されるので、遅延波成分の大きさを推定するための付加的な処理量の増加を抑制できる。
【００４６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４７】
本発明の実施例において、中継装置１００における処理対象が、遅延波成分のうちの回り込み成分であるとして説明している。しかしながらこれに限らず例えば、中継装置１００における処理対象が、遅延波成分のうちのマルチパスであってもよく、回り込み成分とマルチパスとの合成成分であってもよい。なお、処理対象が遅延波成分のうちのマルチパスであっても、実施例の説明は有効である。本変形例によれば、さまざまな原因に起因した遅延波成分に対するＤ／Ｕ比を推定できる。
【図面の簡単な説明】
【００４８】
【図１】本発明の実施例に係る放送システムの構成を示す図である。
【図２】図１の中継装置の構成を示す図である。
【図３】図２の生成部の構成を示す図である。
【図４】本発明の変形例に係る中継装置の構成を示す図である。
【符号の説明】
【００４９】
１０  受信用アンテナ、  １２  受信用ＢＰＦ、  １４  受信増幅部、  １６  第１周波数変換部、  １８  局部発振部、  ２０  可変ＡＴＴ部、  ２２  除去部、  ２４  フィルタ部、  ２６  生成部、  ２８  検波部、  ３０  設定部、  ３２  第２周波数変換部、  ３４  回り込みキャンセラ部、  ３６  送信増幅部、  ３８  送信用ＢＰＦ、  ４０  送信用アンテナ、  ４２  推定部、  ４４  表示部、  ４６  制御部、  １００  中継装置。
【図１】
2010098408.tif 000003
【図２】
2010098408.tif 000004
【図３】
2010098408.tif 000005
【図４】
2010098408.tif 000006